(57)【特許請求の範囲】
【請求項１】
ドア体の内側から前記ドア体の外側に向かって順番に設置される内フレーム、ドアガラス、中フレーム、飾り部材、窓部材および外フレームを含み、前記中フレームは前記内フレームと溶接接合され、前記ドアガラスは前記内フレームおよび前記中フレームの間に挟持され、前記外フレームを前記中フレームおよび／または内フレームと係着し、前記窓部材は前記外フレームおよび前記中フレームの間に挟持され、
前記飾り部材は前記中フレームと係着され、
前記内フレームの外表面が外側に突出し、前記内フレームの内表面に溝状の取っ手が形成され、中フレームの前記取っ手位置に対応する部分に欠損部分が設けられ、内フレームの取っ手は前記欠損部分を通過して飾り部材と組み合わされるが、前記取っ手または飾り部材には、分散して設置される第２突起構造が設けられ、前記飾り部材に設けられた前記第２突起構造の最上部が前記取っ手を支持している、または前記取っ手に設けられた前記第２突起構造の最上部が前記飾り部材を支持していることを特徴とする、ドラム式洗濯機のドア体。
【請求項２】
前記中フレームおよび内フレームが組み合わさって第１溝を形成し、前記外フレームに第１爪が設けられ、第１爪を第１溝と係着し、外フレームを中フレーム、内フレームと接続することを特徴とする、請求項１に記載のドラム式洗濯機のドア体。
【請求項３】
前記内フレームの中フレーム側表面の外側円周に第１凹部が設けられ、前記中フレームの内フレーム側表面の外側円周に第２凹部が設けられ、中フレームおよび内フレームを接続すると、第１凹部は第２凹部に面して、開口が円周に向いた第１溝を形成し、前記外フレームの外側円周に第１爪が設けられ、前記第１爪を内フレーム、中フレームが形成する第１溝と係着することを特徴とする、請求項２に記載のドラム式洗濯機のドア体。
【請求項４】
前記中フレームまたは前記飾り部材に窓部材の第１定位構造が設けられ、前記窓部材に第２定位構造が設けられ、第１定位構造および第２定位構造が組み合わさって定位することを特徴とする、請求項１〜３のいずれか１項に記載のドラム式洗濯機のドア体。
【請求項５】
前記飾り部材の中フレーム側表面に第２爪が設けられ、前記中フレームの飾り部材側表面に第２溝が設けられ、または、
前記飾り部材の中フレーム側表面に第２溝が設けられ、前記中フレームの飾り部材側表面に第２爪が設けられ、
第２溝を第２爪と係着することを特徴とする、請求項１に記載のドラム式洗濯機のドア体。
【請求項６】
前記飾り部材および窓部材の間に第１突起構造が設けられ、前記第１突起構造の最上部が前記飾り部材または窓部材を支持することを特徴とする、請求項１〜４のいずれか１項に記載のドラム式洗濯機のドア体。
【請求項７】
前記窓部材を前記中フレームと係着し、前記窓部材の中フレーム側表面の外周に、中フレームと係着する係着構造が設けられ、隣接する係着構造間に溝状のノッチが設けられることを特徴とする、請求項１に記載のドラム式洗濯機のドア体。
【請求項８】
前記溝状のノッチは、隣接する係着構造間の窓部材の円周を部分的に除去して形成されるものであり、または前記溝状のノッチは、前記係着構造が前記窓部材の円周から延出して部分的に形成されるものであることを特徴とする、請求項７に記載のドラム式洗濯機のドア体。
【請求項９】
前記係着構造が中フレームに達して中フレームと係着し、前記溝状のノッチの縁が前記外フレームを支持することを特徴とする、請求項７または８に記載のドラム式洗濯機のドア体。
【請求項１０】
前記窓部材の中フレーム側表面の外周に第３爪が設けられ、前記中フレームの窓部材側表面の外周に第３溝が設けられ、または、
前記窓部材の中フレーム側表面の外周に第３溝が設けられ、前記中フレームの窓部材側表面の外周に第３爪が設けられ、
第３爪を第３溝と係着することを特徴とする、請求項７〜９のいずれか１項に記載のドラム式洗濯機のドア体。
【請求項１１】
前記飾り部材の縁部に、窓部材および中フレームの間の係着構造を通過させる開口が設けられることを特徴とする、請求項７〜１０のいずれか１項に記載のドラム式洗濯機のドア体。
【請求項１２】
請求項１〜１１のいずれか１項に記載のドア体を有するドラム式洗濯機。
【発明の詳細な説明】
【技術分野】
【０００１】
本発明は洗濯機分野に関し、特にドラム式洗濯機のドア体および該ドア体を有するドラム式洗濯機である。
【背景技術】
【０００２】
洗濯機のドア体はドラム式洗濯機で常用される部品であり、その作用はドラム内の水が流れ出すのを防止すること、さらに使用者がいつでも洗濯機の動作状態を確認することができるようにすることである。
【０００３】
中国特許公開番号第１８８０５６２Ａ号明細書は、ドラム式洗濯機のドアの組立構造および組立方法を開示している。ドラム式洗濯機のドアの組立構造は、中心部が一定の深さで凹んだ傾斜した上部カバーと、上部カバーの下側と結合する中心カバーと、中心カバーの下側と結合する下部カバーと、上部カバーおよび下部カバーの間に挿入されるドアガラスとを含む。ドラム式洗濯機のドアの組立方法は、上部カバーの下側に中心カバーを結合する段階と、上部カバーの内周面の下側にドアガラスを挿入する段階と、中心カバーの下側に下部カバーを結合する段階とを含む。上記特許から以下のことがわかる。該出願中の上部カバー、中心カバー、下部カバーおよびドアガラスの組立過程は繁雑であり、機械化の採用に都合が悪く、組立効率が比較的低い。該出願中の上部カバーおよび下部カバーは、様々なユーザの需要に基づいて組み合わせることができず、様々なユーザの視覚的な感覚を満たすのが難しい。該出願中のドアガラスは、係着方式のみで固定され、信頼性および耐久性が比較的低い。
【０００４】
中国特許出願番号第２０１３１０３５１２９０．Ｘ号明細書はドラム式洗濯機のドア体を開示しており、前記ドア体の内側から前記ドア体の外側に向かって順番に設置される内フレーム、ドアガラス、中フレームおよび外フレームを含む。前記外フレームおよび前記中フレームの間に窓部材が設けられ、前記中フレームは前記内フレームと溶接接合される。前記外フレーム、前記窓部材を前記中フレームに係着し、前記窓部材および前記中フレームの間に飾り部材が設けられる。このようなドア体の構造はコンパクトであり、機械化、組立に便利である。各部材を柔軟に組み合わせ、選択することができ、様々なユーザの個々の需要を満たすことができる。窓部材の縁部は爪構造が設計され、材料は脆く、強度は比較的弱く、射出成形の生産過程で離型するとき、爪が容易に断裂し、窓部材の生産タクトに影響を及ぼす。爪を取り除くと、生産効率は効果的に上昇する。しかし窓部材は爪により中フレームに係着されるため、窓部材の部品および中フレームの部品の寸法制御に対する要求は高く、少しのずれがあると組立が困難になり、さらには爪が断裂して、組立効率に影響を及ぼす。さらに、たとえ２つの部品の寸法が規格を満たしていても、組立は各爪を溝の位置に合わせて一つずつ係着する必要があり、効率が低下する。窓部材は爪により中フレームに係着されるため、輸送またはピギーバック過程で窓部材が押圧されるとき、窓部材の縁部の爪は中フレームに対して比較的大きな張力を形成し、中フレームおよび内フレームの溶接強度を低下させる作用が生じるか、または破壊される。
【０００５】
このことを考慮して、本発明を示す。
【先行技術文献】
【特許文献】
【０００６】
【特許文献１】中国特許公開番号第１８８０５６２Ａ号明細書
【特許文献２】中国特許出願番号第２０１３１０３５１２９０．Ｘ号明細書
【発明の概要】
【発明が解決しようとする課題】
【０００７】
本発明の目的は、既存技術の不足を克服することであり、ドラム式洗濯機のドア体および該ドア体を有するドラム式洗濯機を提供する。
【課題を解決するための手段】
【０００８】
該目的を実現するため、本発明は以下の技術案を採用する。ドラム式洗濯機のドア体は、前記ドア体の内側から前記ドア体の外側に向かって順番に設置される内フレーム、ドアガラス、中フレーム、窓部材および外フレームを含む。前記中フレームは前記内フレームと溶接接合され、前記ドアガラスは前記内フレームおよび前記中フレームの間に挟持される。前記外フレームを前記中フレームおよび／または内フレームと係着し、前記窓部材は前記外フレームおよび前記中フレームの間に挟持される。
【０００９】
前記中フレームおよび内フレームが組み合わさって第１溝を形成し、前記外フレームに第１爪が設けられる。第１爪を第１溝と係着し、外フレームを中フレーム、内フレームと接続する。
【００１０】
前記内フレームの中フレーム側表面の外側円周に第１凹部が設けられ、前記中フレームの内フレーム側表面の外側円周に第２凹部が設けられる。中フレームおよび内フレームを接続すると、第１凹部は第２凹部に面して、開口が円周に向いた第１溝を形成する。前記外フレームの外側円周に第１爪が設けられ、前記第１爪を内フレーム、中フレームが形成する第１溝と係着する。
【００１１】
前記中フレームおよび窓部材の間に、さらに飾り部材が設けられ、前記飾り部材は前記中フレームと係着される。
【００１２】
前記中フレーム／飾り部材に窓部材の第１定位構造が設けられ、前記窓部材に第２定位構造が設けられ、第１定位構造および第２定位構造は組み合わさって定位する。
【００１３】
前記飾り部材の中フレーム側表面に第２爪／第２溝が設けられ、前記中フレームの飾り部材側表面に第２溝／第２爪が設けられ、第２爪／第２溝を第２溝／第２爪と係着する。
【００１４】
前記飾り部材および窓部材の間に第１突起構造が設けられ、前記第１突起構造の最上部が前記飾り部材または窓部材を支持する。好ましくは、前記飾り部材の窓部材側表面の外側縁部に複数の分散した突点が設けられ、前記第１突起構造の最上部および前記窓部材は互いに支える。
【００１５】
前記内フレームの外表面が外側に突出し、内フレームの内表面に溝状の取っ手が形成される。中フレームの該取っ手位置に対応する部分に欠損部分が設けられ、内フレームの取っ手は該欠損部分を通過して飾り部材と組み合わさる。
【００１６】
前記取っ手および飾り部材の間に、分散して設置される第２突起構造が設けられ、前記第２突起構造の最上部が前記取っ手または飾り部材を支持する。
【００１７】
上記ドア体を有するドラム式洗濯機である。
【００１８】
ドラム式洗濯機のドア体は、前記ドア体の内側から前記ドア体の外側に向かって順番に設置される内フレーム、ドアガラス、中フレーム、窓部材および外フレームを含む。前記中フレームは前記内フレームと溶接接合され、前記ドアガラスは前記内フレームおよび前記中フレームの間に挟持される。前記外フレームを前記中フレームおよび／または内フレームと係着し、前記窓部材を前記中フレームと係着する。前記窓部材の中フレーム側表面の外周に、中フレームと係着する係着構造が設けられ、隣接する係着構造の間に溝状のノッチが設けられる。
【００１９】
前記溝状のノッチは、隣接する係着構造間の窓部材の円周を部分的に除去して形成されるものである。または前記溝状のノッチは、前記係着構造が前記窓部材の円周から延出して部分的に形成されるものである。
【００２０】
前記係着構造が中フレームに達して中フレームと係着し、前記溝状のノッチの縁が前記外フレームを支持する。
【００２１】
前記窓部材の中フレーム側表面の外周に第３爪／第３溝が設けられ、前記中フレームの窓部材側表面の外周に第３溝／第３爪が設けられ、第３爪／第３溝を第３溝／第３爪と係着する。
【００２２】
前記中フレームおよび内フレームが組み合わさって第１溝を形成し、前記外フレームに第１爪が設けられる。第１爪を第１溝と係着し、外フレームを中フレーム、内フレームと接続する。
【００２３】
前記内フレームの中フレーム側表面の外側円周に第１凹部が設けられ、前記中フレームの内フレーム側表面の外側円周に第２凹部が設けられる。中フレームおよび内フレームを接続すると、第１凹部は第２凹部に面して、開口が円周に向いた第１溝を形成する。前記外フレームの外側円周に第１爪が設けられ、前記第１爪を内フレーム、中フレームが形成する第１溝と係着する。
【００２４】
前記中フレームおよび窓部材の間に、さらに飾り部材が設けられ、前記飾り部材は前記中フレームと係着される。前記飾り部材および窓部材の間に第１突起構造が設けられ、前記第１突起構造の最上部が前記飾り部材または窓部材を支持する。好ましくは、前記飾り部材の窓部材側表面の外側縁部に複数の分散した突点が設けられ、前記第１突起構造の最上部および前記窓部材は互いに支える。
【００２５】
前記飾り部材の縁部に、窓部材および中フレームの間の係着構造を通過させる開口が設けられる。
【００２６】
前記内フレームの外表面が外側に突起し、内フレームの内表面に溝状の取っ手が形成される。中フレームの該取っ手位置に対応する部分に欠損部分が設けられ、内フレームの取っ手は該欠損部分を通過して飾り部材と組み合わさる。前記取っ手および飾り部材の間に、分散して設置される第２突起構造が設けられ、前記第２突起構造の最上部が前記取っ手または飾り部材を支持する。
【００２７】
上記ドア体を有するドラム式洗濯機である。
【発明の効果】
【００２８】
本発明の前記技術案を採用すると、以下の有益な効果がもたらされる。
１、本発明の窓部材は、爪を取り除いて構造を簡略化し、窓部材の生産タクトが上昇し、生産効率が効果的に上昇する。爪構造により材料が脆くなる、強度が比較的弱くなる、射出成形の生産過程で離型するとき、爪が容易に断裂する問題を防止する。
【００２９】
２、本発明の窓部材は前記外フレームおよび前記中フレームの間に挟持されるのみであり、組立構造を簡略化し、組立効率が上昇する。輸送またはピギーバック過程で窓部材が押圧されるとき、窓部材の縁部の爪が中フレームに対して比較的大きな張力または推力を形成し、中フレームおよび内フレームの溶接強度を低下させる作用が生じるか、または破壊されるのを防止する。
【００３０】
３、本発明の飾り部材および窓部材の間に突起構造が設けられる。面支持から点支持に変わり、相互に押し合うとき、騒音が生じるのを防止する。
【００３１】
４、本発明の取っ手構造部分において、内フレームおよび飾り部材の間に突起構造が設けられる。面支持から点支持に変わり、相互に押し合うとき、騒音が生じるのを防止する。
【００３２】
５、本発明の窓部材の留め具間に溝状構造が設けられ、留め具は外フレームおよび中フレームの間に達して中フレームと係着する。前記溝状のノッチの縁が前記外フレームを支持し、窓部材および外フレームの間の支持面が小さくなる。前記窓部材が押圧されるとき、前記窓部材および前記外フレームの間の摩擦により騒音が生じるのを防止する。
【００３３】
以下、図を組み合わせて、本発明の発明を実施するための形態について、さらに詳細に記載する。
【図面の簡単な説明】
【００３４】
【図１】図１は、本発明のドア体の分解図である。
【図２】図２は、本発明のドア体における別の角度の分解図である。
【図３】図３は、本発明の内フレームの構造図である。
【図４】図４は、本発明の中フレームの構造図である。
【図５】図５は、本発明の飾り部材の構造図である。
【図６】図６は、図５のＡ部分の拡大図である。
【図７】図７は、本発明の窓部材の構造図である。
【図８】図８は、本発明の外フレームの構造図である。
【図９】図９は、本発明のドア体の分解図である。
【図１０】図１０は、本発明のドア体における別の角度の分解図である。
【図１１】図１１は、本発明の内フレームの構造図である。
【図１２】図１２は、本発明の中フレームの構造図である。
【図１３】図１３は、本発明の飾り部材の構造図である。
【図１４】図１４は、図５のＡ部分の拡大図である。
【図１５】図１５は、本発明の窓部材の構造図である。
【図１６】図１６は、本発明の外フレームの構造図である。
【発明を実施するための形態】
【００３５】
図１〜８に示すように、ドラム式洗濯機のドア体は、前記ドア体の内側から前記ドア体の外側に向かって順番に設置される内フレーム、ドアガラス、中フレームおよび外フレームを含む。前記外フレームおよび前記中フレームの間に窓部材が設けられ、前記中フレームは前記内フレームと溶接接合される。前記外フレーム、前記窓部材を前記中フレームに係着し、前記窓部材および前記中フレームの間に飾り部材が設けられる。しかし、窓部材の縁部に爪構造が設計され、材料はもろく、強度は比較的弱く、射出成形の生産過程で離型するとき、爪が容易に断裂し、窓部材の生産タクトに影響を及ぼす。窓部材は爪により中フレームに係着されるため、窓部材の部品および中フレームの部品の寸法制御に対する要求は高く、少しのずれがあると組立が困難になり、さらには爪が断裂して、組立効率に影響を及ぼす。さらに、たとえ２つの部品の寸法が規格を満たしていても、組立は各爪を溝の位置に合わせて一つずつ係着する必要があり、効率が低下する。窓部材は爪により中フレームに係着されるため、輸送またはピギーバック過程で窓部材が押圧されるとき、窓部材の縁部の爪は中フレームに対して比較的大きな張力を形成し、中フレームおよび内フレームの溶接強度を低下させる作用が生じるか、または破壊される。
【００３６】
本発明の前記ドラム式洗濯機のドア体は、前記ドア体の内側から前記ドア体の外側に向かって順番に設置される内フレーム１、ドアガラス２、中フレーム３、窓部材４および外フレーム５を含む。前記中フレーム３は前記内フレーム１と溶接接合され、前記ドアガラス２は前記内フレーム１および前記中フレーム３の間に挟持される。前記外フレーム５を前記中フレーム３および／または内フレーム１と係着し、前記窓部材４は前記外フレーム５および前記中フレーム３の間に挟持される。本発明の窓部材４は前記外フレーム５および前記中フレーム３の間に挟持されるのみであり、組立構造を簡略化し、組立効率が上昇する。輸送またはピギーバック過程で窓部材が押圧されるとき、窓部材の縁部の爪が中フレームに対して比較的大きな張力または推力を形成し、中フレームおよび内フレームの溶接強度を低下させる作用が生じるか、または破壊されるのを防止する。同時に、窓部材は爪を取り除いて構造を簡略化し、窓部材の生産タクトが上昇し、生産効率が効果的に上昇する。爪構造により材料が脆くなる、強度が比較的弱くなる、射出成形の生産過程で離型するとき、爪が容易に断裂する問題を防止する。
【００３７】
中フレーム３および内フレーム１が組み合わさって第１溝を形成し、前記外フレーム５に第１爪９が設けられる。第１爪９を第１溝と係着し、外フレーム５を中フレーム３、内フレーム１と接続する。外フレーム５は中フレーム３、内フレーム１と同時に接続され、外フレーム５の応力は内フレーム１および中フレーム３に同時に伝達される。外フレーム５と中フレーム３、内フレーム１とのうち１つの接続と比較して、外フレーム５の応力が内フレーム１または中フレーム３に伝達され、内フレーム１および中フレーム３の応力はより均等になり、単独の応力の大きさを低下させ、部品の使用寿命を延長させる。
【００３８】
内フレーム１の中フレーム３側表面の外側円周に第１凹部７が設けられ、前記中フレーム３の内フレーム１側表面の外側円周に第２凹部８が設けられる。中フレーム３および内フレーム１を接続すると、第１凹部７は第２凹部８に面して、開口が円周に向いた第１溝を形成する。前記外フレーム５の外側円周に第１爪９が設けられ、前記第１爪９を内フレーム１、中フレーム３が形成する第１溝と係着する。このような構造は簡単であり、内フレーム１および中フレーム３の相対する表面にそれぞれ凹部を設け、両者を組み合わせるだけで、外フレームを係着する溝を形成することができる。内フレーム１、中フレーム３のうち１つの構造に溝を設けることと比較して、本発明に記載するこのような構造の内フレームおよび中フレームは加工がより容易である。さらに外フレーム５は中フレーム３、内フレーム１と同時に接続され、外フレーム５の応力は内フレーム１および中フレーム３に同時に伝達される。内フレーム１および中フレーム３の応力はより均等になり、単独の応力の大きさを低下させ、部品の使用寿命を延長させる。
【００３９】
前記中フレーム３および窓部材４の間に、さらに飾り部材６が設けられ、前記飾り部材６は前記中フレーム３と係着される。前記飾り部材６は、好ましくは環状構造であり、ドアガラス２の縁部および角を部分的に覆い、ユーザに見える開口部をより簡潔にする。前記飾り部材６のドア体外側に面する表面を任意の形状の構造とすることができ、洗濯機の多様性を増加させる。ユーザの需要に基づいて設計を変更し、様々な人の審美的な需要を満たすこともできる。
【００４０】
中フレーム３または飾り部材６に窓部材４の第１定位構造１０が設けられ、前記窓部材４に第２定位構造１１が設けられ、第１定位構造１０および第２定位構造１１が組み合わさって定位する。具体的に、前記窓部材４の外側縁部に、前記窓部材４および前記飾り部材の組立、定位に用いる孔（円弧状または三角形など）が設けられ、前記飾り部材６の外側縁部に、前記窓部材４の外側縁部に開けた孔と組み合わさり、前記窓部材４および前記飾り部材６の組立、定位に用いる構造形状が設けられる。定位すると、窓部材４は周方向に回転することができず、さらに中フレーム３および外フレーム５が押し合う力により、窓部材の固定を堅固にすることができる。
【００４１】
前記飾り部材６の中フレーム３側表面に第２爪１２／第２溝１３が設けられ、前記中フレーム３の飾り部材６側表面に第２溝１３／第２爪１２が設けられ、第２爪１２／第２溝１３を第２溝１３／第２爪１２と係着する。飾り部材６および中フレーム３の係着は、組み立てるとき、飾り部材６の第２爪１２／第２溝１３を内フレーム１の第２溝１３／第２爪１２と対応させた後、飾り部材６を押圧するのみで、組立を完了することができ、取外しが簡単である。
【００４２】
前記飾り部材６および窓部材４の間に第１突起構造１４が設けられ、前記第１突起構造１４の最上部が前記飾り部材６または窓部材４を支持する。飾り部材６および窓部材４の大部分はプラスチック部品であり、押圧されると多少の変形が生じる。飾り部材６および窓部材４の間が面接触である場合、窓部材４が押圧されるとき、窓部材４に変形が生じて飾り部材６と摩擦が生じ、ぎいぎいと騒音が生じる。本発明において、飾り部材６および窓部材４の間に第１突起構造１４が設けられ、第１突起構造１４の最上部が前記飾り部材６または窓部材４を支持する。飾り部材６および窓部材４の間は面接触から点接触に変わり、接触面が小さくなり、相互に押し合うとき、騒音が生じるのを防止する。前記突起構造は、好ましくは半球状の突起であり、半球状の最上部が前記飾り部材または窓部材を支持する。
【００４３】
好ましくは、前記飾り部材６の窓部材４側表面の外側縁部に、複数の分散した突点が設けられ、前記第１突起構造１４の最上部および前記窓部材４は互いに支える。好ましくは、前記隣接する第１突起構造１４の間隔は、窓部材を堅固に支持することも、相互に押し合うとき、騒音が生じるのを防止することもできる。
【００４４】
または、好ましくは前記窓部材４の飾り部材６側表面の外側縁部に、複数の分散した第１突起構造１４が設けられ、前記第１突起構造１４の最上部および前記飾り部材６は互いに支える。前記隣接する第１突起構造１４の間隔は、飾り部材を堅固に支持することも、相互に押し合うとき、騒音が生じるのを防止することもできる。このような状況では、飾り部材の窓部材側表面は平面であることが最も好ましい。
【００４５】
前記内フレーム１の外表面が外側に突起し、内フレーム１の内表面に溝状の取っ手１７が形成され、ユーザがドアを開くのに便利である。中フレーム３の該突起位置に対応する部分に欠損部分１６が設けられ、内フレーム１の突起は該欠損部分１６を通過して飾り部材６と組み合わさる。前記突起および飾り部材の間に、分散して設置される第２突起構造１５が設けられ、前記第２突起構造１５の最上部が前記突起または飾り部材を支持する。ドアを開くとき、ユーザは少しの力でドア体を開くことができ、力を入れるとき内フレームを押すと、内フレームおよび飾り部材の間が面接触である場合、内フレームの突起に変形が生じて飾り部材と摩擦が生じ、ぎいぎいと騒音が生じる。本発明において、飾り部材および内フレームの突起の間に第２突起構造１５が設けられ、第２突起構造１５の最上部が前記飾り部材６または内フレームの突起を支持する。飾り部材６および内フレーム１の突起の間は面接触から点接触に変わり、接触面は小さくなり、相互に押し合うとき、騒音が生じるのを防止する。前記突起構造は、好ましくは半球状の突起または細長状の突起であり、突起構造の最上部が前記飾り部材６または窓部材４を支持する。好ましくは、前記突起の飾り部材６側表面に第２突起構造１５が設けられ、第２突起構造１５の最上部が前記飾り部材６を支持する。飾り部材６および内フレーム１の突起の間は面接触から点接触に変わり、接触面は小さくなり、相互に押し合うとき、騒音が生じるのを防止する。
【００４６】
本発明の前記ドア体を有するドラム式洗濯機において、前記ドア体はドラム式洗濯機の前部開口の一側とヒンジ連結される。ドア体が押される、またはドアを開くとき、変形は比較的小さく、ドア体に騒音は生じない。ドア体内部の接続構造はドア体内部の応力を分散させ、応力は均等であり、ドア体およびドア体の部品の使用寿命を延長させる。
【００４７】
図９〜１６に示すように、ドラム式洗濯機のドア体は、一般的に、前記ドア体の内側から前記ドア体の外側に向かって順番に設置される内フレーム、ドアガラス、中フレームおよび外フレームを含む。前記外フレームおよび前記中フレームの間に窓部材が設けられ、前記中フレームは前記内フレームと溶接接合される。前記外フレーム、前記窓部材を前記中フレームに係着し、前記窓部材および前記中フレームの間に飾り部材が設けられる。前記窓部材の外周に爪が設けられ、縁部の直径は基本的に同じであり、直接外フレームの内壁縁部に達する。窓部材が押圧されるとき、窓部材が力により変形して外フレームの内壁と相対運動が生じ、摩擦して騒音が生じる。
【００４８】
上記問題を解決するため、本発明の前記ドラム式洗濯機のドア体は、前記ドア体の内側から前記ドア体の外側に向かって順番に設置される内フレーム１、ドアガラス２、中フレーム３、窓部材４および外フレーム５を含む。前記中フレーム３は前記内フレーム１と溶接接合され、前記ドアガラス２は前記内フレーム１および前記中フレーム３の間に挟持される。前記外フレーム５を前記中フレーム３および／または内フレーム１と係着し、前記窓部材４を前記中フレーム３と係着する。前記窓部材４の中フレーム３側表面の外周に、中フレーム３と係着する係着構造が設けられ、隣接する係着構造の間に溝状のノッチ２０が設けられる。係着構造は中フレーム３に達して中フレーム３と係着し、前記溝状のノッチ２０の縁が前記外フレーム５を支持する。窓部材４および外フレーム５の間の支持面は小さくなり、前記窓部材４が押圧されるとき、前記窓部材４および前記外フレーム５の間の摩擦により騒音が生じるのを防止する。
【００４９】
前記係着構造について、前記窓部材４の中フレーム３側表面の外周に第３爪１８／第３溝１９が設けられ、前記中フレーム３の窓部材４側表面の外周に第３溝１９／第３爪１８が設けられ、第３爪１８／第３溝１９を第３溝１９／第３爪１８と係着する。
【００５０】
前記溝状のノッチ２０は、隣接する係着構造間の窓部材４の円周を部分的に除去して形成されるものである。または前記溝状のノッチ２０は、前記係着構造が前記窓部材４の円周から延出して部分的に形成されるものである。係着構造が中フレーム３と係着する強度を保証するため、係着構造の周囲に部分的な縁部を残し、残りの部分の窓部材４における円周の縁部を部分的に除去する。前記係着構造は中フレーム３に達して中フレーム３と係着し、前記溝状のノッチ２０の縁は前記外フレーム５を支持する。このように、前記窓部材４の縁部および前記外フレーム５の間の接触面は大幅に小さくなり、以前の面による支持から部分的に分散した支持に変わる。前記窓部材が押圧されるとき、前記窓部材および前記外フレームの間の摩擦により騒音が生じるのを低下させる。
【００５１】
前記溝状のノッチ２０の縁が前記外フレーム５を支持する幅は１５ｍｍ〜２５ｍｍであり、好ましくは２４ｍｍである。支持強度を保証することも、窓部材の縁部および前記外フレームの間の接触面を最大限に低下させることもできる。前記窓部材４が押圧されるとき、前記窓部材および前記外フレーム５の間の摩擦により騒音が生じるのを最大限に低下させる。
【００５２】
中フレーム３および内フレーム１が組み合わさって第１溝を形成し、前記外フレーム５に第１爪９が設けられる。第１爪９を第１溝と係着し、外フレーム５を中フレーム３、内フレーム１と接続する。外フレーム５は中フレーム３、内フレーム１と同時に接続され、外フレーム５の応力は内フレーム１および中フレーム３に同時に伝達される。外フレーム５と中フレーム３、内フレーム１とのうち１つの接続と比較して、外フレーム５の応力が内フレーム１または中フレーム３に伝達され、内フレーム１および中フレーム３の応力はより均等になり、単独の応力の大きさを低下させ、部品の使用寿命を延長させる。
【００５３】
内フレームの中フレーム側表面の外側円周に第１凹部７が設けられ、前記中フレーム３の内フレーム１側表面の外側円周に第２凹部８が設けられる。中フレーム３および内フレーム１を接続すると、第１凹部７は第２凹部８に面して、開口が円周に向いた第１溝を形成する。前記外フレーム５の外側円周に第１爪９が設けられ、前記第１爪９を内フレーム１、中フレーム３が形成する第１溝と係着する。このような構造は簡単であり、内フレーム１および中フレーム３の相対する表面にそれぞれ凹部を設け、両者を組み合わせるだけで、外フレームを係着する溝を形成することができる。内フレーム、中フレームのうち１つの構造に溝を設けることと比較して、本発明に記載するこのような構造の内フレームおよび中フレームは加工がより容易である。さらに外フレームは中フレーム、内フレームと同時に接続され、外フレームの応力は内フレームおよび中フレームに同時に伝達される。内フレームおよび外フレームの応力はより均等になり、単独の応力の大きさを低下させ、部品の使用寿命を延長させる。
【００５４】
前記中フレーム３および窓部材４の間に、さらに飾り部材６が設けられ、前記飾り部材６は前記中フレーム３と係着される。前記飾り部材６は、好ましくは環状構造であり、ドアガラス２の縁部および角を部分的に覆い、ユーザに見える開口部をより簡潔にする。前記飾り部材６のドア体外側に面する表面を任意の形状の構造とすることができ、洗濯機の多様性を増加させる。ユーザの需要に基づいて設計を変更し、様々な人の審美的な需要を満たすこともできる。
【００５５】
前記飾り部材６の縁部に、窓部材４および中フレーム３の間の係着構造を通過させる開口２１が設けられる。前記窓部材４の係着構造は、該開口２１を通過して中フレーム３と係着する。
【００５６】
前記飾り部材６の中フレーム３側表面に第２爪１２／第２溝１３が設けられ、前記中フレーム３の飾り部材側表面に第２溝１３／第２爪１２が設けられ、第２爪１２／第２溝１３を第２溝１３／第２爪１２と係着する。飾り部材６および中フレーム３の係着は、組み立てるとき、飾り部材６の第２爪１２／第２溝１３を内フレーム１の第２溝１３／第２爪１２と対応させた後、飾り部材６を押圧するのみで、組立を完了することができ、取外しが簡単である。
【００５７】
前記飾り部材６および窓部材４の間に第１突起構造１４が設けられ、前記第１突起構造１４の最上部が前記飾り部材６または窓部材４を支持する。飾り部材６および窓部材４の大部分はプラスチック部品であり、押圧されると多少の変形が生じる。飾り部材６および窓部材４の間が面接触である場合、窓部材４が押圧されるとき、窓部材４に変形が生じて飾り部材６と摩擦が生じ、ぎいぎいと騒音が生じる。本発明において、飾り部材６および窓部材４の間に第１突起構造１４が設けられ、第１突起構造１４の最上部が前記飾り部材６または窓部材４を支持する。飾り部材６および窓部材４の間は面接触から点接触に変わり、接触面が小さくなり、相互に押し合うとき、騒音が生じるのを防止する。前記第１突起構造は、好ましくは半球状の突起であり、半球状の最上部が前記飾り部材または窓部材を支持する。
【００５８】
好ましくは、前記飾り部材６の窓部材４側表面の外側縁部に、複数の分散した突点が設けられ、前記第１突起構造１４の最上部および前記窓部材４は互いに支える。好ましくは、前記隣接する第１突起構造１４の間隔は、窓部材４を堅固に支持することも、相互に押し合うとき、騒音が生じるのを防止することもできる。
【００５９】
または、好ましくは前記窓部材４の飾り部材６側表面の外側縁部に、複数の分散した突点が設けられ、前記第１突起構造１４の最上部および前記飾り部材６は互いに支える。好ましくは、前記隣接する第１突起構造の間隔は、飾り部材を堅固に支持することも、相互に押し合うとき、騒音が生じるのを防止することもできる。このような状況では、飾り部材の窓部材側表面は平面であることが最も好ましい。
【００６０】
前記内フレーム１の外表面が外側に突起し、内フレームの内表面に溝状の取っ手１７が形成され、ユーザがドアを開くのに便利である。中フレームの該取っ手１７位置に対応する部分に欠損部分１６が設けられ、内フレーム１の突起は該欠損部分１６を通過して飾り部材６と組み合わさる。前記取っ手１７および飾り部材６の間に、分散して設置される第２突起構造１５が設けられ、前記第２突起構造１５の最上部が前記取っ手または飾り部材を支持する。ドアを開くとき、ユーザは少しの力でドア体を開くことができ、力を入れるとき内フレーム１を押すと、内フレーム１および飾り部材６の間が面接触である場合、内フレームの突起に変形が生じて飾り部材と摩擦が生じ、ぎいぎいと騒音が生じる。本発明において、飾り部材６および内フレームの突起の間に第２突起構造１５が設けられ、第２突起構造１５の最上部が前記飾り部材または内フレームの突起を支持する。飾り部材または内フレームの突起の間は面接触から点接触に変わり、接触面は小さくなり、相互に押し合うとき、騒音が生じるのを防止する。前記突起構造は、好ましくは半球状の突起であり、半球状の最上部が前記飾り部材または窓部材を支持する。好ましくは、前記突起の飾り部材側表面に第２突起構造が設けられ、第２突起構造の最上部が前記飾り部材を支持する。飾り部材および内フレームの突起の間は面接触から点接触に変わり、接触面は小さくなり、相互に押し合うとき、騒音が生じるのを防止する。
【００６１】
本発明の前記ドア体を有するドラム式洗濯機において、前記ドア体はドラム式洗濯機の前部開口の一側とヒンジ連結される。ドア体が押される、またはドアを開くとき、変形は比較的小さく、ドア体に騒音は生じない。ドア体内部の接続構造はドア体内部の応力を分散させ、応力は均等であり、ドア体およびドア体の部品の使用寿命を延長させる。
【００６２】
以上の記載は本発明の好ましい実施方式に過ぎない。当業者は本発明の原理を逸脱しない前提で、数種の変形および改良を行うことができるが、これも本発明の保護範囲と見なすべきであると指摘しなければならない。
【符号の説明】
【００６３】
１  内フレーム
２  ドアガラス
３  中フレーム
４  窓部材
５  外フレーム
６  飾り部材
７  第１凹部
８  第２凹部
９  第１爪
１０  第１定位構造
１１  第２定位構造
１２  第２爪
１３  第２溝
１４  第１突起構造
１５  第２突起構造
１６  欠損部分
１７  取っ手
１８  第３爪
１９  第３溝
２０  溝状のノッチ
２１  開口
【図１】
0006748116.tif 000002
【図２】
0006748116.tif 000003
【図３】
0006748116.tif 000004
【図４】
0006748116.tif 000005
【図５】
0006748116.tif 000006
【図６】
0006748116.tif 000007
【図７】
0006748116.tif 000008
【図８】
0006748116.tif 000009
【図９】
0006748116.tif 000010
【図１０】
0006748116.tif 000011
【図１１】
0006748116.tif 000012
【図１２】
0006748116.tif 000013
【図１３】
0006748116.tif 000014
【図１４】
0006748116.tif 000015
【図１５】
0006748116.tif 000016
【図１６】
0006748116.tif 000017